(57)【要約】【課題】取付位置を自由に決定することができ、引き戸を開いたときの開口面積をより広く確保することができる引戸用指挟み防止具およびそれを用いた引き戸装置を提供する。【解決手段】一方の戸板３に設けられた取付穴５に埋め込まれる態様で取り付けられるベース２０と、ベース２０に対して移動可能に取り付けられ、他方の戸板４と当接するための当接部３３を有するストッパー３０と、を備え、ストッパー３０は、非動作時には取付穴５の内部に収容されており、動作時にはベース２０に対して移動して、当接部３３が取付穴５から他方の戸板４に向けて突出するとともに、当接部３３が取付穴５の縁部５ａよりも開閉方向の外側まで移動して、他方の戸板４を開くときに、他方の戸板４がベース２０を通過した後に当接部３３と当接するようにした。【選択図】図１１
2019173553.tif 000002
【特許請求の範囲】
【請求項１】
少なくとも２枚の戸板が並設されてそれぞれ開閉方向へ移動する引き戸装置に用いられ、前記戸板を移動させる際に利用者が前記戸板で指を挟むのを防止するための引戸用指挟み防止具であって、
一方の前記戸板に設けられた取付穴に埋め込まれる態様で取り付けられるベースと、
前記ベースに対して移動可能に取り付けられ、他方の前記戸板と当接するための当接部を有するストッパーと、を備え、
前記ストッパーは、非動作時には前記取付穴の内部に収容されており、動作時には前記
ベースに対して移動して、前記当接部が前記取付穴から他方の前記戸板に向けて突出するとともに、
前記当接部が前記取付穴の縁部よりも開閉方向の外側まで移動して、他方の前記戸板を開くときに、他方の前記戸板が前記ベースを通過した後に前記当接部と当接するようにしたことを特徴とする引戸用指挟み防止具。
【請求項２】
前記ストッパーは、前記ベースに対して開閉方向へスライド移動するようになっていることを特徴とする請求項１に記載の引戸用指挟み防止具。
【請求項３】
並設された少なくとも２枚の戸板がそれぞれ開閉方向へ移動する際に、利用者が前記戸板で指を挟むのを防止するための引戸用指挟み防止具を備えた引き戸装置であって、
前記引戸用指挟み防止具は、
一方の前記戸板に設けられた取付穴に埋め込まれる態様で取り付けられるベースと、
前記ベースに対して移動可能に取り付けられ、他方の前記戸板と当接するための当接部を有するストッパーと、を備え、
前記ストッパーは、非動作時には前記取付穴の内部に収容されており、動作時には前記ベースに対して移動して、前記当接部が前記取付穴から他方の前記戸板に向けて突出する
とともに、
前記当接部が前記取付穴の縁部よりも開閉方向の外側まで移動して、他方の前記戸板を開くときに、他方の前記戸板が前記ベースを通過した後に前記当接部と当接するようにしたことを特徴とする引き戸装置。
【請求項４】
前記ストッパーは、前記ベースに対して軸を介して回転移動するようになっていることを特徴する請求項３に記載の引き戸装置。
【請求項５】
前記ストッパーには、動作時に前記取付穴の縁部が入り込む溝部が形成されていることを特徴とする請求項３または請求項４に記載の引き戸装置。
【請求項６】
前記ストッパーには、前記当接部の反対側に突出し、回転移動したときに一方の前記戸板に当接する突起状受け部が設けられていることを特徴とする請求項４または請求項５に記載の引き戸装置。
【請求項７】
前記ストッパーは、前記ベースに対して開閉方向へスライド移動するようになっていることを特徴とする請求項３に記載の引き戸装置。
【発明の詳細な説明】
【技術分野】
【０００１】
本発明は、引き違いの戸板で利用者が指を挟むのを防止するための引戸用指挟み防止具、およびそれを用いた引き戸装置に関する。
【背景技術】
【０００２】
従来、一般的なキャビネット等の開口部には、２枚の戸板が並設され、これらの戸板を左右方向（開閉方向）へそれぞれスライドして移動させる引き違い引き戸（以下、単に引き戸という）が用いられている。この引き戸は、前後方向における手前側の戸板を移動させることで開口部の約半分（例えば、右半分）を開閉することができ、奥側の戸板を移動させることで開口部の他の半分（例えば、左半分）を開閉することができる。
【０００３】
このように前後の２枚の戸板がそれぞれ独立して開閉できる構造では、奥側の戸板は、手前側の戸板を越えて逆側に移動させることができてしまう。同様に、手前側の戸板は、奥側の戸板を越えて逆側に移動させることもできる。そのため、キャビネットの利用者が不意を突かれ、移動する戸板で指を挟んでしまうことがあった。
【０００４】
これらを防止するために、奥側の戸板には、引戸用指挟み防止具が取り付けられることがある（例えば、特許文献１〜３参照）。この引戸用指挟み防止具は、ケースと、このケース内に収容されるストッパーとを備えている。ケースは、奥側の戸板の手前側の面に埋め込まれるようにして取り付けられる。また、ストッパーは、このケースから手前側の戸板側に向けて突出および引き戻しが可能なように構成されている。この突出動作は、手前側にばね等で直線的に突出するものや、回転軸を中心に回動しながら手前側に突出するようなものがある。
【０００５】
このストッパーを突出させた状態では、手前側の戸板が奥側の戸板を越えて移動しようとする前に、手前側の戸板の端部がストッパーに突き当たるので、手前側の戸板は、引戸用指挟み防止具を取り付けた位置を越えて移動することができなくなる。一方、掃除をするときなどには、ストッパーを戻しておくことで、手前側の戸板を逆側に移動させる（引き違える）ことができるようになる。
【先行技術文献】
【特許文献】
【０００６】
【特許文献１】特開２０１１−３８２５１号公報
【特許文献２】特開２０１１−３８３５６号公報
【特許文献３】実開昭５２−９１３９９号公報
【発明の概要】
【発明が解決しようとする課題】
【０００７】
キャビネットの引き戸では、戸板を開いたときに、キャビネットの開口面積（出し入れするための面積）がより広く確保できることが好ましい。しかしながら、上述した引戸用指挟み防止具を取り付けた場合、引戸用指挟み防止具を取り付けた位置を越えて戸板が開かなくなってしまうので、開口面積が狭くならざるを得ない。そのため、この開口面積があまり狭くならないように、戸板の開閉方向におけるできるだけ端部に引戸用指挟み防止具を取り付けるようにしている。
【０００８】
しかしながら、戸板の構造によっては端部に取り付けることができないものもある。例えば、近年では、デザイン性を向上させたキャビネットが販売されており、その戸板の端部の全体が取手として構成されているようなものもある。このような場合には、取手部分を避けた中央寄りに引戸用指挟み防止具を取り付けなければならないため、キャビネットの開口面積がさらに狭くなってしまう。
【０００９】
本発明は、上述した事情を鑑みてなされたものであり、その目的は、取付位置を自由に決定することができ、引き戸を開いたときの開口面積をより広く確保することができる引戸用指挟み防止具、およびそれを用いた引き戸装置を提供するためのものである。
【課題を解決するための手段】
【００１０】
上述課題を解決するため、本発明は、少なくとも２枚の戸板が並設されてそれぞれ開閉方向へ移動する引き戸装置に用いられ、前記戸板を移動させる際に利用者が前記戸板で指を挟むのを防止するための引戸用指挟み防止具であって、一方の前記戸板に設けられた取付穴に埋め込まれる態様で取り付けられるベースと、前記ベースに対して移動可能に取り付けられ、他方の前記戸板と当接するための当接部を有するストッパーと、を備え、前記ストッパーは、非動作時には前記取付穴の内部に収容されており、動作時には前記ベースに対して移動して、前記当接部が前記取付穴から他方の前記戸板に向けて突出するとともに、前記当接部が前記取付穴の縁部よりも開閉方向の外側まで移動して、他方の前記戸板を開くときに、他方の前記戸板が前記ベースを通過した後に前記当接部と当接するようにしたことを特徴とする。
【００１１】
また、前記ストッパーは、前記ベースに対して軸を介して回転移動するようになっていてもよい。
【００１２】
さらに、前記ストッパーには、動作時に前記取付穴の縁部が入り込む溝部が形成されていてもよい。
【００１３】
また、前記ストッパーには、前記当接部の反対側に突出し、回転移動したときに一方の前記戸板に当接する突起状受け部が設けられていてもよい。
さらに、前記ストッパーは、前記ベースに対して開閉方向へスライド移動するようになっていてもよい。
【００１４】
他方、本発明は、並設された少なくとも２枚の戸板がそれぞれ開閉方向へ移動する際に、利用者が前記戸板で指を挟むのを防止するための引戸用指挟み防止具を備えた引き戸装置であって、前記引戸用指挟み防止具は、一方の前記戸板に設けられた取付穴に埋め込まれる態様で取り付けられるベースと、前記ベースに対して移動可能に取り付けられ、他方の前記戸板と当接するための当接部を有するストッパーと、を備え、前記ストッパーは、非動作時には前記取付穴の内部に収容されており、動作時には前記ベースに対して移動して、前記当接部が前記取付穴から他方の前記戸板に向けて突出するとともに、前記当接部が前記取付穴の縁部よりも開閉方向の外側まで移動して、他方の前記戸板を開くときに、他方の前記戸板が前記ベースを通過した後に前記当接部と当接するようにしたことを特徴とする。
【発明の効果】
【００１５】
本発明に係る引戸用指挟み防止具では、前記ストッパーは、非動作時には前記取付穴の内部に収容されており、動作時には前記ベースに対して移動して、前記当接部が前記取付穴から他方の前記戸板に向けて突出するとともに、前記当接部が前記取付穴の縁部よりも開閉方向の外側まで移動するようにしているので、取付穴の外側の位置まで戸板を移動することができる。そのため、戸板をより大きく開くことができる。また、引戸用指挟み防止具を戸板の端部に取り付けることができなくても、キャビネットの開口をより広く確保することができるので、種々の形状・構造の戸板に対してもこの引戸用指挟み防止具を取り付けることができる。
【図面の簡単な説明】
【００１６】
【図１】本発明の実施の形態に係る引戸用指挟み防止具を備えた引き戸装置を奥側から見た斜視図である。
【図２】図１の引き戸装置を手前側から見た斜視図である。
【図３】引戸用指挟み防止具を戸板に取り付ける状態を示す分解斜視図である。
【図４】引戸用指挟み防止具の非動作時の状態を示す斜視図である。
【図５】引戸用指挟み防止具の動作時の状態を示す斜視図であって、図４に対応するものである。
【図６】図５の分解斜視図である。
【図７】図５を紙面逆側から見た斜視図である。
【図８】引戸用指挟み防止具のベースを単体で示す斜視図である。
【図９】引戸用指挟み防止具のストッパーを単体で示す斜視図である。
【図１０】引き戸装置を上側から見た図であって、（Ａ）は引戸用指挟み防止具の動作時の状態、（Ｂ）は非動作時の状態を示す平面図である。
【図１１】図１０（Ａ）のＸ部の拡大断面図である。
【図１２】引戸用指挟み防止具の変形例であって、非動作時の状態を示す斜視図である。
【図１３】引戸用指挟み防止具の変形例であって、動作時の状態を示す斜視図であって、図１２に対応するものである。
【発明を実施するための最良の形態】
【００１７】
以下、本発明の実施の形態に係る引戸用指挟み防止具１０、およびそれを用いた引き戸装置１について、図面を用いて詳細に説明する。
図１は、本発明に係る引戸用指挟み防止具１０を備えた引き戸装置１を奥側（キャビネット２の内側）から見た斜視図である。また、図２は、図１の引き戸装置１を手前側（キャビネット２の外側）から見た斜視図である。さらに、図３は、引戸用指挟み防止具１０を戸板３に取り付ける状態を示す分解斜視図である。
【００１８】
なお、以下の説明で使用する「左側」「右側」「手前側」「奥側」「上側」「下側」とは、図２に示すように、引き戸装置１をキャビネット２の外側から見た方向（利用者側から見た方向）をいうものとする。また、「開閉方向」とは、戸板が移動する左右方向をいうものとする。
【００１９】
引き戸装置１は、図１および図２に示すように、２枚の戸板３、４が前後に２枚並べて配置されている。キャビネット２の開口部の左半分を塞ぐ戸板３は、手前側に位置し、右側にスライド移動することで開かれるようになる。同様に、右半分を塞ぐ戸板４は、奥側に位置し、左側にスライド移動することで開かれるようになる。なお、本実施例では戸板は２枚であるが、３枚或いはそれ以上で構成してあっても構わない。
【００２０】
戸板３、４は、シンプルな事務用のデザインのものや、洒落たデザインを醸し出すために種々の形状、デザインを施したものなどが使用される。図１および図２で示す戸板３、４は、キャビネット２の意匠性を高めるべく、取手部分を特殊な形状にしたものが使用されている。
【００２１】
戸板３は、中央部に設けられたガラス３ａと、このガラス３ａの４方の外周を囲う戸枠３ｂと、この戸枠３ｂの左側部に位置し、上下方向に亘って連続する取手３ｃとで構成されている。この取手３ｃは、その厚みの内部が中空形状になっており、かつ、その手前側の部分が上下に連続してスリット状に切り欠かれている（図１、図２、および、詳細は後述する図１０参照）。利用者は、このスリット状に切り欠かれた部分から指を入れて取手３ｃを持つことができるようになっている。
なお、戸板４も戸板３と同じ構造を有しており、ガラス４ａ、戸枠４ｂ、および、戸枠４ｂの右側部に位置する取手４ｃとで構成されている。
【００２２】
一方、手前側の戸板３の裏面には、図１に示すように、引戸用指挟み防止具１０が取り付けられている。すなわち、この引戸用指挟み防止具１０は、キャビネット２の手前側からは見えない位置に取り付けられている。これにより、利用者から見たデザイン性を高め、キャビネットの外観を損なわないようにしている。
【００２３】
この引戸用指挟み防止具１０は、図１および図３に示すように、戸枠３ｂに取り付けられる。より詳細に説明すると、戸枠３ｂには、ざぐり加工によって丸形にくり抜かれた取付穴５が設けられ、この取付穴５内に引戸用指挟み防止具１０のベース２０（詳細は後述する）が埋め込まれる態様で取り付けられる。
【００２４】
上述した取付穴５は、ガラス３ａには当然に加工できない。また、内部が中空形状の取手３ｃの位置にも、ざぐり穴加工を施すことはできない。そのため、唯一の選択肢として戸枠３ｂに取付穴５が設けられるようになり、引戸用指挟み防止具１０もこの取付穴５の位置にしか取り付けられないことになる。
【００２５】
図４は、引戸用指挟み防止具１０の非動作時の状態を示す斜視図、図５は、動作時の状態を示す斜視図、図６は、図５の分解斜視図である。また、図７は、図５の紙面逆側から見た斜視図である。さらに、図８は、引戸用指挟み防止具１０のベース２０を単体で示す斜視図、図９は、引戸用指挟み防止具１０のストッパー３０を単体で示す斜視図である。
【００２６】
引戸用指挟み防止具１０は、図４〜図７（特に図６参照）に示すように、ベース２０と、このベース２０内に収容されるストッパー３０と、このストッパー３０をベース２０に取り付けるための軸４０とで構成されている。
【００２７】
ベース２０は、図８（Ａ）に示すように、中央部が手前側に向けて窪んだ形状に形成されており、この中央部にストッパー３０が収容される。ベース２０は、上下で対称な形状であり、上側および下側には、戸板３の裏面と平行に設置される取付部２１、２１が設けられている。この取付部２１、２１には、取付ねじ１１（図３参照）が挿通される取付用穴２１ａが形成されており、戸板３の取付穴５（図３参照）の周辺に設けられたねじ穴６の位置と対応するようになっている。
【００２８】
また、ベース２０は、図８（Ａ）に示すように、上下の取付部２１、２１から手前側に向けて延びる側壁部２２、２２と、この側壁部２２、２２の奥側を上下に連結する底面部２３とを備えている。上述した中央部が窪んだ形状は、この側壁部２２、２２および底面部２３とで形成されている。
【００２９】
上下の側壁部２２には、その左側に軸挿通穴２２ａがそれぞれ形成されている。この軸挿通穴２２ａには、詳細は後述する軸４０が挿通されるようになる。また、軸挿通穴２２ａを挟んだ左右側には、凸部２２ｂ、２２ｃが形成されている。この凸部２２ｂ、２２ｃには、詳細は後述するストッパー３０の凹部３１ｂが嵌合するようになる。
【００３０】
底面部２３は、取付部２１と略平行な面で形成されている。この底面部２３は、図８（Ａ）および図８（Ｂ）に示すように、軸挿通穴２２ａの付近まで左側に延びている。また、この底面部２３の左側には、底面部２３の左側端部から奥側に向けて斜めに傾斜する傾斜面部２４が形成されている。
【００３１】
ベース２０は、図３に示すように、側壁部２２、底面部２３、および傾斜面部２４が取付穴５内に埋め込まれるようにして取り付けられる。また、取付部２１、２１は、取付穴５の外側であって、戸枠３ｂの裏面でねじ１１を用いて固定される。
【００３２】
また、ベース２０は、板金をプレス加工で折り曲げることで一体に形成されている。なお、樹脂材料を用いて一体成形で製作することもできる。
【００３３】
ストッパー３０は、樹脂材料で一体に成形されたものであり、左右方向に長尺なブロック状に形成されている。このストッパー３０は、図９（Ａ）および図９（Ｂ）に示すように、手前側に形成された平面部３１と、この平面部３１の逆側（奥側）に形成された平面受け部３５とを備えている。また、ストッパー３０の左側には、上下方向に貫通する軸挿通穴３１ａが設けられている。さらに、この軸挿通穴３１ａの右側には、ベース２０の凸部２２ｂ、２２ｃと嵌合する凹部３１ｂが、上下の両側で窪む態様でそれぞれ設けられている。
なお、ベース２０の凸部２２ｂ、２２ｃと、ストッパー３０の凹部３１ｂとは、それぞれの凹凸が逆に構成されていてもよい。
【００３４】
平面受け部３５の右側には、平面受け部３５よりも前側に向けて窪んだ溝部３２が形成されている。この溝部３２は上下方向に連続して設けられている。また、溝部３２のさらに右側には、奥側に向けて突出する突起状受け部３４が形成されている。さらに、平面部３１の右側には、この平面部３１よりも前側に向けて突出する当接部３３が設けられている。これらの突起状受け部３４および当接部３３は、上下方向に亘って連続して設けられている。
【００３５】
このストッパー３０は、図６に示すように、軸４０を介してベース２０に回動自在に取り付けられる。引戸用指挟み防止具１０が非動作時の状態では、図４に示すように、ストッパー３０は軸４０を中心にして右側へと回動しており、ベース２０の内部（側壁部２２および底面部２３で囲まれた部分）に収容されている。一方、引戸用指挟み防止具１０が動作時の状態では、図５および図７に示すように、ストッパー３０は軸４０を中心にして左側へと回動しており、ストッパー３０がベース２０の左側端部からさらに左側へ飛び出すような状態になる。
【００３６】
次に、本発明の実施の形態に係る引戸用指挟み防止具１０、およびそれを用いた引き戸装置１の動作・作用について、図１０および図１１を用いて説明する。
図１０は、引き戸装置を上側から見た図であって、（Ａ）は引戸用指挟み防止具の動作時の状態、（Ｂ）は非動作時の状態を示す平面図である。また、図１１は、図１０（Ａ）のＸ部の拡大断面図であって、動作時のストッパー３０を実線で示し、非動作時のストッパー３０を点線で示したものである。
【００３７】
引き戸装置１は、通常使用時には、図１０（Ａ）に示すように、引戸用指挟み防止具１０を動作させた状態にする。この状態では、奥側に位置する戸板４を左側に移動させたときに（或いは、手前側に位置する戸板３を右側に移動させたときに）、奥側の戸板４の左側の端部がストッパー３０の当接部３３に突き当たり、図１０（Ａ）で示す状態よりも戸板４（戸板３）が移動しないようにすることができる。そのため、奥側の戸板４の取手４ｃを掴んでいた利用者は、手前側の戸板３によって指が挟まれることがなくなる。
【００３８】
このときの引戸用指挟み防止具１０の状態は、図１１に示すように、実線で示すストッパー３０が軸４０を中心にしてＲ方向に沿って左側に回動している。このとき、ストッパー３０の当接部３３は、取付穴５の縁部５ａよりも左側の外側にせり出した位置にあるので、奥側の戸板４をできるだけ左側まで移動させた状態（奥側の戸板４が、取付穴５に取り付けられたベース２０を通過した状態）で当接部３３に突き当たるようになる。そのため、従来技術のように、取付穴５の位置でストッパーを突出・収納させる構造のものと比較して、奥側の戸板４をより大きく開くことができるようになる。
【００３９】
また、引戸用指挟み防止具１０が動作している状態では、図１１に示すように、ストッパー３０の平面受け部３５は、ベース２０の傾斜面部２４と面で接触している。また、ストッパー３０の凹部３１ｂとベース２０の左側の凸部２２ｂは、動作位置で勘合するようになっている。さらに、ストッパー３０の突起状受け部３４は、戸板３の裏面に突き当たるようになっている。これにより、動作状態でのストッパー３０の位置が規制されるようになる。また、奥側の戸板４が当接部３３に突き当たったときの衝撃をこれらの構造で受けることにより、ストッパー３０が破損するのを防止している。
【００４０】
また、ストッパー３０がより大きく左側へ回動できるように、ストッパー３０に溝部３２を設け、この溝部３２の内側に取付穴５の縁部５ａが入り込むようにしている（図１１参照）。これにより、当接部３３をさらに外側の位置に移動させることができる。
【００４１】
一方、引戸用指挟み防止具１０が非動作時の状態では、図１０（Ｂ）に示すように、ストッパー３０は突出していないため、戸板３、４は自由に開閉方向へと移動することができる。このとき、図１１に点線で示すストッパー３０は、軸４０を中心にしてＲ方向に沿って右側に回動している。
【００４２】
このとき、ストッパー３０の平面部３１は、ベース２０の底面部２３と面で接するようになる。また、ストッパー３０の凹部３１ｂとベース２０の右側の凸部２２ｃは、非動作位置で勘合するようになっている。これにより、非動作状態でのストッパー３０の位置が規制されるようになる。
【００４３】
引戸用指挟み防止具１０の動作／非動作の切替は、利用者が戸板３の裏面側に手を入れて、ストッパー３０を回動させることにより行われる。また、利用者は、手の感触でストッパー３０が突出しているか否かを容易に認識することができる。なお、凸部２２ｂ、２２ｃと凹部３１ｂの嵌合は、利用者が手でストッパー３０を回動させられる程度のものである。
【００４４】
本発明の実施の形態に係る引戸用指挟み防止具１０、およびそれを用いた引き戸装置１によれば、一方の戸板３に設けられた取付穴５に埋め込まれる態様で取り付けられるベース２０と、ベース２０に対して移動可能に取り付けられ、他方の戸板４と当接するための当接部３３を有するストッパー３０とを備え、ストッパー３０は、非動作時には取付穴５の内部に収容されており、動作時にはベース２０に対して移動して、当接部３３が取付穴５から他方の戸板４に向けて突出するとともに、当接部３３が取付穴５の縁部５ａよりも開閉方向の外側まで移動するようにしているので、取付穴５の外側の位置まで戸板４を移動することができる。そのため、戸板４をより大きく開くことができる。また、引戸用指挟み防止具１０を戸板３の端部に取り付けることができなくても、キャビネットの開口をより広く確保することができるので、種々の形状・構造の戸板に対してもこの引戸用指挟み防止具１０を使用することができる。
【００４５】
また、ストッパー３０は、ベース２０に対して軸４０を介して回転移動するようになっているので、簡単な構造で当接部３３を取付穴５の縁部５ａよりも外側の位置に移動させることができる。
【００４６】
また、ストッパー３０には、動作時に取付穴５の縁部５ａが入り込む溝部３２が形成されているので、ストッパー３０をより大きく回動できるようになる。そのため、当接部３３を取付穴５の縁部５ａよりもさらに外側の位置に移動させることができる。
【００４７】
さらに、ベース２０には、回転移動したストッパー３０と当接して、ストッパー３０の動作時の位置を規制する傾斜面部２４が設けられているので、動作時のストッパー３０の位置がずれることがなくなる。また、当接部３３に戸板４が突き当たったときに、その衝撃を傾斜面部２４で面によって受けることができるので、ストッパー３０が破損するのを防止することができる。
【００４８】
また、ストッパー３０には、当接部３３の反対側に突出し、回転移動したときに一方の戸板３に当接する突起状受け部３４が設けられているので、動作時のストッパー３０の位置がずれることがなくなる。また、当接部３３に戸板４が突き当たったときに、その衝撃を突起状受け部３４を介して戸板３の裏面で受けることができるので、ストッパー３０が破損するのを防止することができる。
【００４９】
以上、本発明の実施の形態に係る引戸用指挟み防止具、およびそれを用いた引き戸装置について述べたが、本発明は既述の実施形態に限定されるものではなく、本発明の技術思想に基づいて各種の変形および変更が可能である。
例えば、本実施の形態では、ストッパー３０が軸４０を中心に回動する構造になっているが、回動する構造に限定されるものではない。
【００５０】
図１２および図１３の引戸用指挟み防止具１１０は、本実施例の変形例を示すものである。なお、上述した実施例で使用した構造と同一のものは、同一の符号を付すことによって、その詳細な説明を省略する。
【００５１】
この引戸用指挟み防止具１１０は、ストッパー３０が、ベース１２０の側壁部２２に形成されたスライド穴１２２ｂに沿ってスライド移動するものである。より詳細には、スライド穴１２２ｂは、右側から左側に向かうに従い手前側から奥側へ斜めに傾斜する態様で形成されている。ストッパー３０の当接部３３は、図１３に示すように、動作状態において、左側の奥側に向けて斜めにせり出すように移動する。これによっても、本実施例の回動動作と同様に、当接部３３を取付穴５の縁部５ａよりも開閉方向の外側まで移動することができる。
【符号の説明】
【００５２】
１  引き違い引き戸装置（引き戸装置）
２  キャビネット
３、４  戸板
３ａ、４ａ  ガラス
３ｂ、４ｂ  戸枠
３ｃ、４ｃ  取手
５  取付穴
５ａ  取付穴の縁部
６  ねじ穴
１０、１１０  引戸用指挟み防止具
１１  取付ねじ
２０、１２０  ベース
２１  取付部
２１ａ  取付用穴
２２  側壁部
２２ａ  軸挿通穴
２２ｂ、２２ｃ  凸部
２３  底面部
２４  傾斜面部
３０  ストッパー
３１  平面部
３１ａ  軸挿通穴
３１ｂ  凹部
３２  溝部
３３  当接部
３４  突起状受け部
３５  平面受け部
４０  軸
１２２ｂ  スライド穴
【図１】
2019173553.tif 000003
【図２】
2019173553.tif 000004
【図３】
2019173553.tif 000005
【図４】
2019173553.tif 000006
【図５】
2019173553.tif 000007
【図６】
2019173553.tif 000008
【図７】
2019173553.tif 000009
【図８】
2019173553.tif 000010
【図９】
2019173553.tif 000011
【図１０】
2019173553.tif 000012
【図１１】
2019173553.tif 000013
【図１２】
2019173553.tif 000014
【図１３】
2019173553.tif 000015